(57)【特許請求の範囲】
【請求項１】
所定間隔を隔てて配置された一対の管状の柱材と、前記柱材の上端を連結するように配置された管状の弧状梁材とを有する複数連の主フレームを備え、前記主フレームが桁行方向に複数基配置され、各々の対応する箇所が桁行梁によって連結されており、最も端に位置する主フレーム、桁行梁、および前記弧状梁材によって形成される屋根部分が二重のシートによって被覆されているハウスシステムにおいて、
前記主フレームの各々に、前記柱材の上端と、対向する柱材の上端から前記弧状梁材の頂点に向かって約２／３の箇所とを連結する一対のターンバックル付き斜材が設けられており、
隣接する前記弧状梁材の下縁に桁行方向に延びるように、下側シートと上側シートとの間に空間が設けられており、前記空間の端部において前記下側シートと前記上側シートがシート固定材で固定され、前記空間内に温水配管が配置されており、冬期に前記温水配管に温水を供給することにより、前記上側シート上に積もった雪を融雪するように構成されていることを特徴とするハウスシステム。
【請求項２】
開放部が上方に向くように桁行方向に配置された溝形材と、前記溝形材のウエブに固定された柱材挿入管とを有する柱脚部を備え、前記柱材の下端を前記柱材挿入管に挿入し、前記柱材挿入管に設けられた貫通孔と前記柱材の下端付近に設けられた貫通孔を整合させ、両方の貫通孔に固定ボルトを入れて締めることによって、主フレームの柱材を溝形材に固定するようになっていることを特徴とする請求項１に記載されたハウスシステム。
【請求項３】
屋根トラス部をさらに備え、
前記トラス部が、前記弧状梁材の頂点同士を桁行方向に連結する第１屋根梁と、前記弧状梁材の下端から前記弧状梁材の頂点に向かって約１／３の箇所同士を桁行方向に連結する第２屋根梁と、前記第１屋根梁の所定箇所から前記第２屋根梁に向かって平面視で二等辺三角形を形成するように延びた複数の一対の第１屋根トラス梁と、前記第２屋根梁の所定箇所から前記桁行梁に向かって平面視で二等辺三角形を形成するように延びた複数の一対の第２屋根トラス梁とを有していることを特徴とする請求項１又は２に記載されたハウスシステム。
【発明の詳細な説明】
【技術分野】
【０００１】
本発明は、主として植物の栽培に使用されるハウスシステムに関する。本発明のハウスシステムで栽培される植物には、野菜、果樹、キノコや花卉などの多様な植物が含まれ、通常の栽培用途の他、育苗用、水耕栽培用などの用途にも使用される。
【背景技術】
【０００２】
植物の栽培方式としてビニルハウスを使用する栽培法は、広く活用されている。本発明者は、各種植物の栽培に資する多層式立体栽培ハウスシステムを提案している（特許文献１参照）。
【０００３】
【特許文献１】登録実用新案第３１８５２５９号公報
【発明の概要】
【発明が解決しようとする課題】
【０００４】
本発明は、上記多層式立体栽培ハウスシステムを改良発展させたものであり、構造的に強固で特に積雪地での使用に適したハウスシステムを提供することを目的としている。
【課題を解決するための手段】
【０００６】
本願請求項１に記載のハウスシステムは、所定間隔を隔てて配置された一対の管状の柱材と、前記柱材の上端を連結するように配置された管状の弧状梁材とを有する複数連の主フレームを備え、前記主フレームが桁行方向に複数基配置され、各々の対応する箇所が桁行梁によって連結されており、最も端に位置する主フレーム、桁行梁、および前記弧状梁材によって形成される屋根部分が二重のシートによって被覆されており、前記主フレームの各々に、前記柱材の上端と、対向する柱材の上端から前記弧状梁材の頂点に向かって約２／３の箇所とを連結する一対のターンバックル付き斜材が設けられており、隣接する前記弧状梁材の下縁に桁行方向に延びるように、下側シートと上側シートとの間に空間が設けられており、前記空間の端部において前記下側シートと前記上側シートがシート固定材で固定され、前記空間内に温水配管が配置されており、冬期に前記温水配管に温水を供給することにより、前記上側シート上に積もった雪を融雪するように構成されていることを特徴とするものである。
【０００７】
本願請求項２に記載のハウスシステムは、前記請求項１のハウスシステムにおいて、開放部が上方に向くように桁行方向に配置された溝形材と、前記溝形材のウエブに固定された柱材挿入管とを有する柱脚部を備え、前記柱材の下端を前記柱材挿入管に挿入し、前記柱材挿入管に設けられた貫通孔と前記柱材の下端付近に設けられた貫通孔を整合させ、両方の貫通孔に固定ボルトを入れて締めることによって、主フレームの柱材を溝形材に固定するようになっていることを特徴とするものである。
【０００８】
本願請求項３に記載のハウスシステムは、前記請求項１又は２のハウスシステムにおいて、屋根トラス部をさらに備え、前記トラス部が、前記弧状梁材の頂点同士を桁行方向に連結する第１屋根梁と、前記弧状梁材の下端から前記弧状梁材の頂点に向かって約１／３の箇所同士を桁行方向に連結する第２屋根梁と、前記第１屋根梁の所定箇所から前記第２屋根梁に向かって平面視で二等辺三角形を形成するように延びた複数の一対の第１屋根トラス梁と、前記第２屋根梁の所定箇所から前記桁行梁に向かって平面視で二等辺三角形を形成するように延びた複数の一対の第２屋根トラス梁とを有していることを特徴とするものである。
【発明の効果】
【０００９】
本発明のハウスシステムによれば、ターンバックル１６ａ付き斜材１６を設けることにより、ハウスシステム１０の構造的な強度を強化することができる。また、融雪部２２を設けることにより、積雪地において効率的な融雪を行うことができる。また、柱脚部２４を設けることにより、揚圧力に対しても強固に抵抗することができる。さらに、屋根トラス部２６を設けることにより、ハウスシステム１０の屋根部に作用する力が分散され、柔軟性に富み強固な構造が得られる。
【図面の簡単な説明】
【００１０】
【図１】本発明の好ましい実施の形態に係るハウスシステムの全体を模式的に示した斜視図である。
【図２】図１のハウスシステムの主要な骨組みを示した斜視図である。
【図３】図２の平面図である。
【図４】図２の斜視図において主フレーム、斜材、および桁行梁のみを示した斜視図である。
【図５】図４の矢印５から見た主フレームの正面図である。
【図６】図６（ａ）は図５の部分６ａの拡大図、図６（ｂ）は図５の部分６ｂの拡大図である。
【図７】図７（ａ）は融雪部の温水配管を示した図、図７（ｂ）は図５の部分７ｂの拡大図である。
【図８】図８（ａ）は図５の部分８ａの拡大図、図８（ｂ）は部分８ａに示される柱脚部の分解図、図８（ｃ）は部分８ａに示される柱脚部の溝形材の配置を示した斜視図である。
【図９】図９（ａ）は図３の部分９ａの拡大図、図９（ｂ）は図９（ａ）の部分９ｂの拡大図、図９（ｃ）は図９（ａ）の部分９ｃの拡大図、図９（ｄ）は図９（ａ）の部分９ｄの拡大図、である。
【発明を実施するための形態】
【００１１】
次に、図面を参照して、本発明の好ましい実施の形態に係るハウスシステムについて詳細に説明する。図１は、本発明の好ましい実施の形態に係るハウスシステムの全体を模式的に示した斜視図、図２は、図１のハウスシステムの主要な骨組みを示した斜視図、図３は、図２の平面図である。図１において全体として参照符号１０で示されるハウスシステムは、所定間隔を隔てて配置された一対の管状の柱材１２ａと、柱材１２ａの上端を連結するように配置された管状の弧状梁材１２ｂとを有する２連の主フレーム１２を備えており、２連の主フレーム１２が桁行方向に４基配置されている。柱材１２ａと弧状梁材１２ｂとの連結端部は、溶接で堅固に固定されている。
【００１２】
各主フレーム１２の対応する箇所は、図２に示されるように、桁行梁１４ａによって連結されており、桁行方向の所定箇所にブレース１４ｂが配置されている。
【００１３】
主フレーム１２には、図５に最も良く示されるように、柱材１２ａの上端１２ａ１と、対向する柱材１２ａの上端１２ａ１から弧状梁材１２ｂの頂点１２ｂ１に向かって約２／３の箇所（Ａ点）とを連結する一対のターンバックル１６ａ付き斜材１６が設けられている。斜材１６は好ましくは、丸鋼で形成されている。斜材１６と柱材１２ａ、および斜材１６と弧状梁材１２ｂは、図６（ａ）に示されるようなクランプ１８ａによって連結されている。
【００１４】
クランプ１８ａは、弧状梁材１２ｂに通される管状の第１部分１８ａ１と、斜材１６の端部が差し込まれる管状の第２部分１８ａ２と、第１部分１８ａ１と第２部分１８ａ２とを回転可能に連結するヒンジ部分１８ａ３と、斜材１６が第２部分１８ａ２から抜けないように、斜材１６を第２部分１８ａ２に固定するための固定ボルト１８ａ４とを有している。このようなクランプ１８ａを用いることにより、斜材１６と柱材１２ａおよび弧状梁材１２ｂとは、構造力学的にはピン接合となる。
【００１５】
なお、隣接する主フレーム１２の柱材１２ａは、図６（ｂ）に示されるようなクランプ１８ｂによって連結されている。
【００１６】
以上のようなターンバックル１６ａ付き斜材１６の構成により、ターンバックル１６ａを回転させて斜材１６を緊張させることによって、フレーム１２の面内抵抗力を増大させ、これによりハウスシステム１０の強度を増加させることができる。
【００１７】
最も端に位置する主フレーム１２、桁行梁１４ａ、および後述する屋根トラス部２６は、二重のシート２０によって被覆されている（図１参照）。シート２０は好ましくは、強度を高くするため、ポリエチレンで形成されている。
【００１８】
ハウスシステム１０はまた、融雪部２２を備えている。融雪部２２は、図７（ａ）および図７（ｂ）に示されるように、隣接する弧状梁材１２ｂの下縁に桁行方向に延びるように、下側のシート２０ａと上側のシート２０ｂとの間に空間２２ａが設けられており、空間２２ａの端部において下側のシート２０ａと上側のシート２０ｂがシート固定材２０ｂで固定され、空間２２ａ内に温水配管２２ｃが配置されている。そして、温水配管２２ｃには、所用時に、温水供給源（図示せず）から温水が供給されるようになっている。
【００１９】
以上のような融雪部２２の構成により、冬期にハウスシステム１０の屋根に降り積もった雪は、弧状梁材１２ｂの下縁（従って、上側のシート２０ｂの上）に滑り落ち、滑り落ちた雪は、温水配管２２ｃに供給される温水の熱によって温められた空間２２ａ内の熱により、融雪されることとなる。なお、シート固定材２０ｂで二重シート２０を固定することによって、温水配管２０ｃにより生ずる熱が空間２２ａから漏洩しにくいようになっているので、効率的な融雪を行うことができる。
【００２０】
ハウスシステム１０はまた、柱脚部２４を備えている。柱脚部２４は、柱脚部２４の分解斜視図である図８（ｂ）に最も良く示されるように、開放部が上方に向くように配置された溝形材２４ａと、溝形材２４ａのウエブ２４ａ１に溶接で固定された柱材挿入管２４ｂとを有している。溝形材２４ａは、図８（ｃ）に示されるように、地面を掘削した溝内に桁行方向に配置されている。柱材挿入管２４ｂは、柱材１２ａの外径よりも大きな内径を有しており、柱材挿入管２４ｂには、貫通孔２４ｂ１が設けられている。一方、主フレーム１２の柱材１２ａの下端付近にも、貫通孔１２ａ２が設けられており、柱材１２ａの下端を柱材挿入管２４ｂに挿入し、貫通孔２４ｂ１と貫通孔１２ａ２を整合させ、両方の貫通孔２４ｂ１、１２ａ２に固定ボルト２４ｃを入れて締めることによって、主フレーム１２の柱材１２ａを溝形材２４ａに固定するようになっている。
【００２１】
以上のような柱脚部２４の構成により、従来の柱材を土中に差し込む型式の柱脚と比較して、ハウス内に風が吹き込むことによって生ずる揚圧力に対しても強固に抵抗することができる。
【００２２】
ハウスシステム１０はさらに、屋根トラス部２６を備えている。図９（ａ）は、屋根トラス部２６の拡大平面図である。屋根トラス部２６は、弧状梁材１２ｂの頂点１２ｂ１同士を桁行方向に連結する第１屋根梁２６ａと、弧状梁材１２ｂの下端から弧状梁材１２ｂの頂点１２ｂ１に向かって約１／３の箇所（Ｂ点）同士を桁行方向に連結する第２屋根梁２６ｂと、第１屋根梁２６ａの所定箇所から第２屋根梁２６ｂに向かって平面視で二等辺三角形を形成するように延びた複数の一対の第１屋根トラス梁２６ｄと、第２屋根梁２６ｂの所定箇所から桁行梁１４ａに向かって平面視で二等辺三角形を形成するように延びた複数の一対の第２屋根トラス梁２６ｅとを有している。第１屋根トラス梁２６ｄおよび第２屋根トラス梁２６ｅと第１屋根梁２６ａ、第２屋根梁２６ｂおよび桁行梁１４ａは、図９（ｂ）、（ｃ）、（ｄ）に示されるような屋根トラス用クランプ２８によって連結されている。屋根トラス用クランプ２８は、クランプ１８ａ、１８ｂと同様な構造を有している。このような屋根トラス用クランプ２８を用いることにより、第１屋根トラス梁２６ｄおよび第２屋根梁２６ｂと第１屋根トラス梁２６ｄ、第２屋根梁２６ｂおよび桁行梁１４ａとは、構造力学的にはピン接合となる。
【００２３】
上述のように梁を連結することにより、屋根面全体に多数のトラスＴ１、トラスＴ２が形成されることとなる。なお、弧状梁材１２ｂの下端から弧状梁材１２ｂの頂点１２ｂ１に向かって約２／３の箇所（Ａ点）同士を桁行方向に連結する第３屋根梁２６ｃを設けるのが好ましい。
【００２４】
以上のような屋根トラス部２６の構成により、ハウスシステム１０の屋根部に作用する力が分散され、柔軟性に富み強固な構造が得られる。
【００２５】
本発明は、以上の発明の実施の形態に限定されることなく、特許請求の範囲に記載された発明の範囲内で、種々の変更が可能であり、それらも本発明の範囲内に包含されるものであることはいうまでもない。
【００２６】
例えば、図示されているハウスシステム１０は、２連の主フレーム１２が桁行方向に４基配置されているものとして示されているが、主フレーム１２を３連以上にしてもよいし、主フレーム１２の桁行方向の配置基数を４基以外にしてもよい。また、主フレーム１２、融雪部２２、柱脚部２４、屋根トラス部２６、クランプ１８ａ、１８ｂ、屋根トラス用クランプ２８などの細部の形状などは例示的なものであり、これらに限定されるものではない。
【符号の説明】
【００２７】
１０  ハウスシステム
１２  主フレーム
１２ａ  柱材
１２ａ１  上端
１２ａ２  貫通孔
１２ｂ  弧状梁材
１２ｂ１  頂点
１４ａ  桁行梁
１４ｂ  ブレース
１６  斜材
１６ａ  ターンバックル
１８ａ、１８ｂ  クランプ
２０  シート
２０ａ  下側シート
２０ｂ  上側シート
２２  融雪部
２２ａ  空間
２２ｂ  シート固定材
２２ｃ  温水パイプ
２４  柱脚部
２４ａ  溝形材
２４ｂ  柱材挿入管
２４ｂ１  貫通孔
２４ｃ  固定ボルト
２６  屋根トラス部
２６ａ  第１屋根梁
２６ｂ  第２屋根梁
２６ｃ  第３屋根梁
２６ｄ  第１屋根トラス梁
２６ｅ  第２屋根トラス梁
２８  屋根トラス用クランプ
【図１】
0006436524.tif 000002
【図２】
0006436524.tif 000003
【図３】
0006436524.tif 000004
【図４】
0006436524.tif 000005
【図５】
0006436524.tif 000006
【図６】
0006436524.tif 000007
【図７】
0006436524.tif 000008
【図８】
0006436524.tif 000009
【図９】
0006436524.tif 000010